(57)【特許請求の範囲】
【請求項１】
空間の利用状況を管理する空間管理サーバと、
前記空間が利用中であるか否かを管理するための物体の状況を判定するデバイスと
を備え、
前記デバイスは、
前記物体が掛かるフックと、
前記フックに対する荷重が変化したことを検知する荷重検知部と、
前記物体の状況に関連する通知データを前記デバイスの外部に無線送信する通知データ送信部であって、前記荷重検知部による検知に応じて、前記通知データを無線送信する通知データ送信部と
を有し、
前記空間管理サーバは、
前記通知データを受信した受信部から前記通知データを取得する通知データ取得部と、
前記通知データ取得部が取得した前記通知データに基づいて前記空間の利用状況を管理する利用状況管理部であって、複数の空間のそれぞれに対して２つの前記デバイスを対応付ける対応付けデータを参照して、前記複数の空間のうちの１つの空間について、当該空間に対応する２つの前記デバイスのうち、一方のデバイスによって送信された前記フックに対する荷重が有る状態から無い状態に変化したことを通知する前記通知データと、他方のデバイスによって送信された前記フックに対する荷重が無い状態から有る状態に変化したことを通知する前記通知データとを前記通知データ取得部が取得した場合に、当該空間が利用中であると判定する、利用状況管理部と
を有する、
システム。
【請求項２】
空間の利用状況を管理する空間管理サーバと、
前記空間が利用中であるか否かを管理するための物体の状況を判定するデバイスと
を備え、
前記デバイスは、
前記物体が掛かるフックと、
前記フックに対する荷重の変化量を検知する荷重検知部と、
前記物体の状況に関連する通知データを前記デバイスの外部に無線送信する通知データ送信部であって、前記フックに対する荷重が変化したことを前記荷重検知部が検知したことに応じて、前記変化量を含む前記通知データを無線送信する通知データ送信部と
を有し、
前記空間管理サーバは、
前記通知データを受信した受信部から前記通知データを取得する通知データ取得部と、
前記通知データ取得部が取得した前記通知データに基づいて前記空間の利用状況を管理する利用状況管理部であって、前記通知データを前記通知データ取得部が取得した場合に、複数の空間のそれぞれに複数の前記変化量のそれぞれを対応付ける対応付けデータを参照して、前記通知データに含まれる前記変化量に対応する前記空間の利用状況を管理する、利用状況管理部と
を有する、
システム。
【請求項３】
前記空間は、会議スペースであり、
前記物体は、前記会議スペースに対応する札である、請求項１又は２に記載のシステム。
【請求項４】
空間の状況を管理する空間管理サーバであって、
前記空間が利用中であるか否かを管理するための物体の状況を判定し、前記物体の状況に関連する通知データを外部に無線送信するデバイスが、前記デバイスが有する前記物体が掛かるフックに対する荷重が変化したことに応じて送信した前記通知データを受信した受信部から、前記通知データを取得する通知データ取得部と、
前記通知データ取得部が取得した前記通知データに基づいて、前記空間の利用状況を管理する利用状況管理部であって、複数の空間のそれぞれに対して２つの前記デバイスを対応付ける対応付けデータを参照して、前記複数の空間のうちの１つの空間について、当該空間に対応する２つの前記デバイスのうち、一方のデバイスによって送信された前記フックに対する荷重が有る状態から無い状態に変化したことを通知する前記通知データと、他方のデバイスによって送信された前記フックに対する荷重が無い状態から有る状態に変化したことを通知する前記通知データとを前記通知データ取得部が取得した場合に、当該空間が利用中であると判定する、利用状況管理部と
を備える空間管理サーバ。
【請求項５】
空間の状況を管理する空間管理サーバであって、
前記空間が利用中であるか否かを管理するための物体の状況を判定し、前記物体の状況に関連する通知データを外部に無線送信するデバイスが、前記デバイスが有する前記物体が掛かるフックに対する荷重が変化したことに応じて送信した、前記荷重の変化量を含む前記通知データを受信した受信部から、前記通知データを取得する通知データ取得部と、
前記通知データ取得部が取得した前記通知データに基づいて、前記空間の利用状況を管理する利用状況管理部であって、前記通知データを前記通知データ取得部が取得した場合に、複数の空間のそれぞれに複数の前記変化量のそれぞれを対応付ける対応付けデータを参照して、前記通知データに含まれる前記変化量に対応する前記空間の利用状況を管理する、利用状況管理部と
を備える空間管理サーバ。
【請求項６】
コンピュータを、請求項４又は５に記載の空間管理サーバとして機能させるためのプログラム。
【請求項７】
空間の状況を管理する空間管理サーバによって実行される管理方法であって、
前記空間管理サーバの通知データ取得部が、前記空間が利用中であるか否かを管理するための物体の状況を判定し、前記物体の状況に関連する通知データを外部に無線送信するデバイスが、前記デバイスが有する前記物体が掛かるフックに対する荷重が変化したことに応じて送信した前記通知データを受信した受信部から、前記通知データを取得する通知データ取得段階と、
前記空間管理サーバの利用状況管理部が、前記通知データ取得段階において取得された前記通知データに基づいて、前記空間の利用状況を管理する利用状況管理段階であって、複数の空間のそれぞれに対して２つの前記デバイスを対応付ける対応付けデータを参照して、前記複数の空間のうちの１つの空間について、当該空間に対応する２つの前記デバイスのうち、一方のデバイスによって送信された前記フックに対する荷重が有る状態から無い状態に変化したことを通知する前記通知データと、他方のデバイスによって送信された前記フックに対する荷重が無い状態から有る状態に変化したことを通知する前記通知データとが、前記通知データ取得段階において取得された場合に、当該空間が利用中であると判定する、利用状況管理段階と
を備える管理方法。
【請求項８】
空間の状況を管理する空間管理サーバによって実行される管理方法であって、
前記空間管理サーバの通知データ取得部が、前記空間が利用中であるか否かを管理するための物体の状況を判定し、前記物体の状況に関連する通知データを外部に無線送信するデバイスが、前記デバイスが有する前記物体が掛かるフックに対する荷重が変化したことに応じて送信した、前記荷重の変化量を含む前記通知データを受信した受信部から、前記通知データを取得する通知データ取得段階と、
前記空間管理サーバの利用状況管理部が、前記通知データ取得段階において前記通知データが取得された場合に、複数の空間のそれぞれに複数の前記変化量のそれぞれを対応付ける対応付けデータを参照して、前記通知データに含まれる前記変化量に対応する前記空間の利用状況を管理する利用状況管理段階と
を備える管理方法。
【発明の詳細な説明】
【技術分野】
【０００１】
本発明は、システム、空間管理サーバ、プログラム、管理方法及びデバイスに関する。
【背景技術】
【０００２】
人感センサを用いて会議室の使用状況を管理する装置が知られていた（例えば、特許文献１参照）。
［先行技術文献］
［特許文献］
［特許文献１］特開２０１１−２２７８４７号公報
【発明の概要】
【発明が解決しようとする課題】
【０００３】
空間の利用状況の管理を支援可能な技術を提供することが望ましい。
【課題を解決するための手段】
【０００４】
本発明の第１の態様によれば、空間の利用状況を管理する空間管理サーバと、上記空間が利用中であるか否かを管理するための物体の状況を判定するデバイスとを備えるシステムが提供される。上記デバイスは、上記物体の状況に関連する通知データを上記デバイスの外部に無線送信する通知データ送信部を有してよい。上記空間管理サーバは、上記通知データを受信した受信部から上記通知データを取得する通知データ取得部を有してよい。空間管理サーバは、上記通知データ取得部が取得した上記通知データに基づいて上記空間の利用状況を管理する利用状況管理部を有してよい。
【０００５】
上記デバイスは、上記物体が掛かるフックと、上記フックに対する荷重が変化したことを検知する荷重検知部とを有してよく、上記通知データ送信部は、上記荷重検知部による検知に応じて、上記通知データを無線送信してよい。上記利用状況管理部は、上記フックに対する荷重が有る状態から無い状態に変化したことを通知する上記通知データを上記通知データ取得部が取得した場合に、上記フックを有する上記デバイスに対応する上記空間が利用中であると判定してよい。上記空間管理サーバは、複数の空間のそれぞれに、複数の上記デバイスのそれぞれを対応付ける対応付けデータを格納するデータ格納部を有してよく、上記利用状況管理部は、上記フックに対する荷重が有る状態から無い状態に変化した上記デバイスに対応する上記空間が利用中であると判定してよい。上記利用状況管理部は、上記フックに対する荷重が無い状態から有る状態に変化したことを通知する上記通知データを上記通知データ取得部が取得した場合に、上記フックを有する上記デバイスに対応する上記空間が利用中でないと判定してよい。
【０００６】
上記空間管理サーバは、複数の空間のそれぞれに対して２つの上記デバイスを対応付ける対応付けデータを格納するデータ格納部を有してよく、上記利用状況管理部は、上記複数の空間のうちの１つの空間について、当該空間に対応する２つの上記デバイスのうち、一方のデバイスによって送信された上記フックに対する荷重が有る状態から無い状態に変化したことを通知する上記通知データと、他方のデバイスによって送信された上記フックに対する荷重が無い状態から有る状態に変化したことを通知する上記通知データとを上記通知データ取得部が取得した場合に、当該空間が利用中であると判定してよい。
【０００７】
上記荷重検知部は、上記フックに対する荷重の変化量を検知してよく、上記通知データ送信部は、上記変化量を含む上記通知データを上記デバイスの外部に無線送信してよく、上記空間管理サーバは、複数の空間のそれぞれに、複数の上記変化量のそれぞれを対応付ける対応付けデータを格納するデータ格納部を有してよく、上記利用状況管理部は、上記通知データを上記通知データ取得部が取得した場合に、上記通知データに含まれる上記変化量に対応する上記空間の利用状況を管理してよい。上記空間は、会議スペースであってよく、上記物体は、上記会議スペースに対応する札であってよい。
【０００８】
上記物体は、上記空間が利用中でないことを示す第１の面と、上記空間が利用中であることを示す第２の面とを有するプレートであってよく、上記デバイスは、上記第１の面と上記第２の面とのいずれが有効になっているかを検出するセンサを有してよく、上記通知データ送信部は、上記センサによる検出結果を含む上記通知データを上記デバイスの外部に無線送信してよい。上記センサは、上記第１の面又は上記第２の面に配置された照度センサであってよく、上記通知データ送信部は、上記照度センサによって検出された照度の変化が予め定められた条件を満たしたことに応じて、上記通知データを上記デバイスの外部に無線送信してよい。上記通知データ送信部は、上記照度センサによって検出される照度が予め定められた閾値より高くなった場合と、上記閾値よりも低くなった場合に、上記通知データを上記デバイスの外部に無線送信してよい。上記空間管理サーバは、上記第１の面が有効になっている場合に上記照度センサによって検出された照度と、上記第２の面が有効になっている場合に上記照度センサによって検出された照度とに基づいて上記閾値を決定する閾値決定部を有してよい。上記空間管理サーバは、上記閾値決定部によって決定された上記閾値を上記デバイスに送信するデバイス送信部を有してよい。
【０００９】
上記照度センサは、上記第１の面に設置されてよく、上記通知データ送信部は、上記照度センサによって検出された照度が上記閾値より高くなったことに応じて、上記照度が上記閾値より高くなったことを示す上記通知データを上記デバイスの外部に無線送信し、上記照度センサによって検出された照度が上記閾値より低くなったことに応じて、上記照度が上記閾値より低くなったことを示す上記通知データを上記デバイスの外部に無線送信してよい。上記利用状況管理部は、上記照度が上記閾値より高くなったことを示す上記通知データを上記通知データ取得部が取得した場合に、上記空間が利用中でないと判定し、上記照度が上記閾値より低くなったことを示す上記通知データを上記通知データ取得部が取得した場合に、上記空間が利用中であると判定してよい。
【００１０】
上記照度センサは、上記第２の面に設置されてよく、上記通知データ送信部は、上記照度センサによって検出された照度が上記閾値より高くなったことに応じて、上記照度が上記閾値より高くなったことを示す上記通知データを上記デバイスの外部に無線送信し、上記照度センサによって検出された照度が上記閾値より低くなったことに応じて、上記照度が上記閾値より低くなったことを示す上記通知データを上記デバイスの外部に無線送信してよく、上記利用状況管理部は、上記照度が上記閾値より高くなったことを示す上記通知データを上記通知データ取得部が取得した場合に、上記空間が利用中であると判定し、上記照度が上記閾値より低くなったことを示す上記通知データを上記通知データ取得部が取得した場合に、上記空間が利用中でないと判定してよい。上記プレートは、上記第１の面上と上記第２の面上との間をスライドするスライド部材を有するスライドプレートであってよい。上記第２の面は、上記第１の面の反対側の面であってよい。
【００１１】
本発明の第２の態様によれば、空間の状況を管理する空間管理サーバが提供される。空間管理サーバは、上記空間が利用中であるか否かを管理するための物体の状況を判定し、上記物体の状況に関連する通知データを外部に無線送信するデバイスによって送信された上記通知データを受信した受信部から、上記通知データを取得する通知データ取得部を備えてよい。空間管理サーバは、上記通知データ取得部が取得した上記通知データに基づいて、上記空間の利用状況を管理する利用状況管理部を備えてよい。
【００１２】
本発明の第３の態様によれば、コンピュータを、上記空間管理サーバとして機能させるためのプログラムが提供される。
【００１３】
本発明の第４の態様によれば、空間の状況を管理する空間管理サーバによって実行される管理方法が提供される。管理方法は、上記空間が利用中であるか否かを管理するための物体の状況を判定し、上記物体の状況に関連する通知データを外部に無線送信するデバイスによって送信された上記通知データを受信した受信部から、上記通知データを取得する通知データ取得段階を備えてよい。管理方法は、上記通知データ取得段階において取得された上記通知データに基づいて、上記空間の利用状況を管理する利用状況管理段階を備えてよい。
【００１４】
本発明の第５の態様によれば、デバイスが提供される。デバイスは、空間が利用中でないことを示す第１の面と、空間が利用中であることを示す第２の面とを有するプレートの第１の面と第２の面とのいずれが有効になっているかを検出するセンサを備えてよい。デバイスは、上記センサによる検出結果を含む通知データを外部に無線送信する通知データ送信部を備えてよい。上記センサは、上記第１の面又は上記第２の面に配置された照度センサであってよい。上記通知データ送信部は、上記照度センサによって検出された照度の変化が予め定められた条件を満たしたことに応じて上記通知データを外部に無線送信してよい。上記プレートは、上記第１の面上と上記第２の面上との間をスライドするスライド部材を有するスライドプレートであってよい。
【００１５】
なお、上記の発明の概要は、本発明の必要な特徴の全てを列挙したものではない。また、これらの特徴群のサブコンビネーションもまた、発明となりうる。
【図面の簡単な説明】
【００１６】
【図１】システム１０の一例を概略的に示す。
【図２】システム２０の一例を概略的に示す。
【図３】空間管理サーバ１００の機能構成の一例を概略的に示す。
【図４】フック型デバイス１５０の一例を概略的に示す。
【図５】空間管理サーバ１００による処理の流れの一例を概略的に示す。
【図６】空間管理サーバ１００による処理の流れの一例を概略的に示す。
【図７】空間管理サーバ１００による処理の流れの一例を概略的に示す。
【図８】システム２０の一例を概略的に示す。
【図９】空間管理サーバ２００の機能構成の一例を概略的に示す。
【図１０】照度型デバイス２５０の機能構成の一例を概略的に示す。
【図１１】スライドプレート２７２の一例を概略的に示す。
【図１２】空間管理サーバ２００による処理の流れの一例を概略的に示す。
【図１３】空間管理サーバ２００による処理の流れの一例を概略的に示す。
【図１４】システム３０の一例を概略的に示す。
【図１５】空間管理サーバ３００の機能構成の一例を概略的に示す。
【図１６】空間管理サーバ３００の機能構成の一例を概略的に示す。
【図１７】空間管理サーバ１００、空間管理サーバ２００又は空間管理サーバ３００として機能するコンピュータ１２００のハードウェア構成の一例を概略的に示す。
【発明を実施するための形態】
【００１７】
以下、発明の実施の形態を通じて本発明を説明するが、以下の実施形態は特許請求の範囲に係る発明を限定するものではない。また、実施形態の中で説明されている特徴の組み合わせの全てが発明の解決手段に必須であるとは限らない。
【００１８】
図１は、システム１０の一例を概略的に示す。本実施形態に係るシステム１０は、空間管理サーバ１００及び複数のフック型デバイス１５０を備える。システム１０は、ゲートウェイ５０を備えてよい。
【００１９】
空間管理サーバ１００は、空間の利用状況を管理する。空間管理サーバ１００が利用状況を管理する対象となる空間は、例えば、人によって利用される空間である。空間の用途は任意の用途であってよい。用途の例としては、会議、飲食、及び宿泊等が挙げられる。すなわち、当該空間は、会議スペース、飲食スペース、及び宿泊施設の客室等であってよい。当該空間は、閉鎖空間であってよく、開放空間であってもよい。例えば、会議スペースは、会議室であってよく、パーテーションで区切られた会議用の任意の場所であってもよい。
【００２０】
フック型デバイス１５０は、対応する空間が利用中であるか否かを管理するための物体が掛かるフックと、フックに対する荷重が変化したことを検知する荷重検知部と、荷重検知部による検知に応じて、物体の状況に関連する通知データをフック型デバイス１５０の外部に無線送信する通知データ送信部とを備える。フック型デバイス１５０は、空間が利用中であるか否かを管理するための物体の状況を判定するデバイスの一例であってよい。
【００２１】
物体は、フック型デバイス１５０のフックに掛けることができる任意の物体であってよい。物体は、システム１０の管理者等によって、空間と対応付けられる。例えば、会議スペースが利用中であるか否かを管理するための物体の例として、会議スペースを識別するための情報が記された札が挙げられる。また、会議室が利用中であるか否かを管理するための物体の例として、会議室の鍵が挙げられる。会議室の鍵は、いわゆるシリンダー錠の鍵であってよく、また、カードキー等の電子キーであってもよい。
【００２２】
例えば、管理対象が会議スペースである場合、会議スペースを利用していない状態では、物体がフック型デバイス１５０に掛けられている。会議スペースの利用者は、会議スペースを利用する場合に、フック型デバイス１５０から物体を取り外し、会議スペースの利用が終了した後、物体をフック型デバイス１５０に掛ける。
【００２３】
フック型デバイス１５０は、例えば、通知データをゲートウェイ５０に無線送信する。ゲートウェイ５０は、フック型デバイス１５０から受信した通知データを、ネットワーク６０を介して空間管理サーバ１００に送信する。フック型デバイス１５０は、空間管理サーバ１００がフック型デバイス１５０の無線送信エリア内に設置されている場合、通知データを空間管理サーバ１００に直接無線送信してもよい。
【００２４】
フック型デバイス１５０は、例えば、ＲＦＩＤ（Ｒａｄｉｏ  Ｆｒｅｑｕｅｎｃｙ  Ｉｄｅｎｔｉｆｉｅｒ）、Ｂｌｕｅｔｏｏｔｈ（登録商標）、ＢＬＥ（Ｂｌｕｅｔｏｏｔｈ  Ｌｏｗ  Ｅｎｅｒｇｙ）、及びＥｎＯｃｅａｎ（登録商標）等の近距離無線通信を介して、通知データを無線送信する。ここでは、フック型デバイス１５０が、ＢＬＥを介して、通知データを無線送信する場合を主に例に挙げて説明する。この場合、フック型デバイス１５０とゲートウェイ５０又は空間管理サーバ１００との間のペアリングは、事前に行われているものとする。
【００２５】
通知データは、フック型デバイス１５０の識別情報を含んでよい。空間管理サーバ１００は、通知データに含まれるフック型デバイス１５０の識別情報に基づいて、通知データを送信したフック型デバイス１５０を特定し得る。
【００２６】
通知データは、フック型デバイス１５０のフックに対する荷重が有る状態から無い状態に変化したこと又はフックに対する荷重が無い状態から有る状態に変化したことを含んでよい。フック型デバイス１５０は、例えば、物体がフックから取り外された場合に、フックに対する荷重が有る状態から無い状態に変化したことを含む通知データを送信する。また、フック型デバイス１５０は、例えば、物体がフックに掛けられた場合に、フックに対する荷重が無い状態から有る状態に変化したことを含む通知データを送信する。
【００２７】
空間管理サーバ１００は、通知データがフック型デバイス１５０のフックに対する荷重が有る状態から無い状態に変化したことを含む場合、特定したフック型デバイス１５０に対応付けられている空間が利用中であると判定してよい。空間管理サーバ１００は、通知データがフック型デバイス１５０のフックに対する荷重が無い状態から有る状態に変化したことを含む場合、特定したフック型デバイス１５０に対応付けられている空間が利用中でないと判定してよい。
【００２８】
ネットワーク６０は、例えば、３Ｇ（３ｒｄ  Ｇｅｎｅｒａｔｉｏｎ）通信システム、ＬＴＥ（Ｌｏｎｇ  Ｔｅｒｍ  Ｅｖｏｌｕｔｉｏｎ）通信システム、４Ｇ（４ｔｈ  Ｇｅｎｅｒａｔｉｏｎ）通信システム、及び５Ｇ（５ｔｈ  Ｇｅｎｅｒａｔｉｏｎ）通信システム以降の移動体通信システム等を含む。この場合、ゲートウェイ５０は、無線基地局を介してネットワーク６０と通信してよい。ゲートウェイ５０は、ＷｉＦｉ（登録商標）ルータを介してネットワーク６０と通信してもよい。ゲートウェイ５０は、Ｚ−Ｗａｖｅ（登録商標）又はＺｉｇｂｅｅ（登録商標）によってネットワーク６０と通信してもよい。ゲートウェイ５０は、いわゆるＩｏＴ（Ｉｎｔｅｒｎｅｔ  ｏｆ  Ｔｈｉｎｇ）ゲートウェイであってよい。また、ゲートウェイ５０は、ＷｉＦｉルータであってもよい。
【００２９】
ネットワーク６０は、社内ネットワーク等であってもよい。この場合、ゲートウェイ５０は、有線によってネットワーク６０と通信してよく、無線によってネットワーク６０と通信してもよい。
【００３０】
図１では、空間管理サーバ１００が会議室Ａ１６２、会議室Ｂ１６４、会議室Ｃ１６６及び会議室Ｄ１６８の利用状況を管理し、システム１０が複数のフック型デバイス１５０として、フック型デバイスＡ１５２、フック型デバイスＢ１５４、フック型デバイスＣ１５６及びフック型デバイスＤ１５８を備える場合を一例として図示している。
【００３１】
空間管理サーバ１００は、会議室Ａ１６２にフック型デバイスＡ１５２を、会議室Ｂ１６４にフック型デバイスＢ１５４を、会議室Ｃ１６６にフック型デバイスＣ１５６を、会議室Ｄ１６８にフック型デバイスＤ１５８をそれぞれ対応付けている。札Ａ１７２、札Ｂ１７４、札Ｃ１７６及び札Ｄ１７８はそれぞれ、会議室Ａ１６２、会議室Ｂ１６４、会議室Ｃ１６６及び会議室Ｄ１６８のそれぞれが利用中であるか否かを管理するための物体である。
【００３２】
管理ボード１２０は、それぞれが複数の会議室のそれぞれに対応する領域を含む。フック型デバイスＡ１５２は、管理ボード１２０の会議室Ａ１６２の領域に、フック型デバイスＢ１５４は、管理ボード１２０の会議室Ｂ１６４の領域に、フック型デバイスＣ１５６は、管理ボード１２０の会議室Ｃ１６６の領域に、フック型デバイスＤ１５８は、管理ボード１２０の会議室Ｄ１６８の領域にそれぞれ設置されている。
【００３３】
ここで、ユーザによって会議室Ａ１６２が利用される場合を例に挙げて、システム１０の動作を説明する。ユーザは、管理ボード１２０を確認することによって、利用されていない会議室を確認する。ユーザは、利用されていない会議室の中から会議室Ａ１６２を利用することを決定し、フック型デバイスＡ１５２のフックに掛けられている札Ａ１７２を取り外す。フック型デバイスＡ１５２は、フックから札Ａ１７２が取り外されると、フックに対する荷重が有る状態から無い状態に変化したことを通知する通知データを無線送信する。空間管理サーバ１００は、取得した通知データに基づいて、フック型デバイスＡ１５２を特定し、会議室Ａ１６２を利用中として管理する。
【００３４】
ユーザは、会議室Ａ１６２の利用が終了すると、フック型デバイスＡ１５２のフックに札Ａ１７２を掛ける。フック型デバイスＡ１５２は、フックに札Ａ１７２が掛けられると、フックに対する荷重が無い状態から有る状態に変化したことを通知する通知データを無線送信する。空間管理サーバ１００は、取得した通知データに基づいて、フック型デバイスＡ１５２を特定し、会議室Ａ１６２を非利用中として管理する。
【００３５】
このように、システム１０によれば、フック型デバイス１５０を用いることによって、会議室等の空間を管理することができる。従来のシステムのように会議室に人感センサを設置することによっても会議室を管理することはできるが、人感センサは、会議室の適切な位置に設置する必要があったり、検出範囲を適切に設定する必要がある。それに対して、フック型デバイス１５０は、管理ボード１２０等の適当な場所に設置すればよく、人感センサに比べて設置コストを低減することができる。また、フック型デバイス１５０は、人感センサと比較して、そのもののコストも低くできる。したがって、システム１０によれば、従来のシステムと比べて、低コストで空間の利用状況を管理することができる。
【００３６】
フック型デバイス１５０の荷重検知部は、フックに対する荷重の変化量を検知する機能を有してもよい。この場合、フック型デバイス１５０は、フックに対する荷重の変化量を含む通知データを無線送信してよい。空間管理サーバ１００は、複数の空間のそれぞれに、複数の荷重の変化量を対応付ける対応付けデータを格納してよい。例えば、札Ａ１７２の重量が１０ｇ、札Ｂ１７４の重量が１２ｇ、札Ｃ１７６の重量が１４ｇ、札Ｄ１７８の重量が１６ｇである場合、対応付けデータは、会議室Ａ１６２に対して１０ｇ、会議室Ｂ１６４に対して１２ｇ、会議室Ｃ１６６に対して１４ｇ、会議室Ｄ１６８に対して１６ｇを対応付ける。
【００３７】
空間管理サーバ１００は、取得した通知データに含まれる荷重の変化量に対応付けられている空間を特定し、荷重が増加したか減少したかによって、当該空間の利用状況を管理する。空間管理サーバ１００は、例えば、荷重が減少した場合、特定した空間を利用中として管理する。一方、空間管理サーバ１００は、荷重が増加した場合、特定した空間を非利用中として管理する。
【００３８】
このように、フック型デバイス１５０を、フックに対する荷重の変化量を含む通知データを送信するよう構成することによって、例えば、フック型デバイス１５０と管理対象の空間とを予め対応付ける必要を無くすことができる。例えば、システム１０の管理者は、管理ボード１２０の会議室Ａ１６２の領域、会議室Ｂ１６４の領域、会議室Ｃ１６６の領域、会議室Ｄ１６８の領域のそれぞれにフック型デバイス１５０を配置し、それぞれを対応付ける作業をすることなく、各会議室のそれぞれに対応する重量の物体を掛けることによって、会議室を管理可能にできる。
【００３９】
また、フック型デバイス１５０を、フックに対する荷重の変化量を含む通知データを送信するよう構成することによって、フックに掛けられた物体が、当該フックに掛けられるべきものであるか否かを判定可能にできる。例えば、空間管理サーバ１００は、荷重の変化量に基づいて特定した空間と、フック型デバイス１５０に対応する空間とが同一の空間でない場合に、任意の方法で、物体を正しいフックに掛け直す旨の通知を、物体を掛けたユーザ又はシステム１０の管理者に対して行うことができる。
【００４０】
通知データは、フック型デバイス１５０の識別情報のみを含んでもよい。この場合、空間管理サーバ１００は、通知データを取得すると、識別情報によって識別されるフック型デバイス１５０に対応付けられている空間の利用状況を変更する。例えば、空間管理サーバ１００は、当該空間が非利用中であった場合、利用中に変更する。また、空間管理サーバ１００は、当該空間が利用中であった場合、非利用中に変更する。
【００４１】
図２は、システム１０の一例を概略的に示す。ここでは、図１と異なる点を主に説明する。図２に示すシステム１０は、管理対象の空間に設置される複数のフック型デバイス１５０をさらに備える。図２では、システム１０が、フック型デバイスＡ１５２、フック型デバイスＢ１５４、フック型デバイスＣ１５６、及びフック型デバイスＤ１５８に加えて、フック型デバイスＡ１５３、フック型デバイスＢ１５５、フック型デバイスＣ１５７、及びフック型デバイスＤ１５９を備える場合を一例として図示している。
【００４２】
空間管理サーバ１００は、会議室Ａ１６２にフック型デバイスＡ１５２及びフック型デバイスＡ１５３を対応付け、会議室Ｂ１６４にフック型デバイスＢ１５４及びフック型デバイスＢ１５５を対応付け、会議室Ｃ１６６にフック型デバイスＣ１５６及びフック型デバイスＣ１５７を対応付け、会議室Ｄ１６８にフック型デバイスＤ１５８及びフック型デバイスＤ１５９を対応付けている。
【００４３】
フック型デバイスＡ１５３は会議室Ａ１６２に設置され、フック型デバイスＢ１５５は会議室Ｂ１６４に設置され、フック型デバイスＣ１５７は会議室Ｃ１６６に設置され、フック型デバイスＤ１５９は会議室Ｄ１６８に設置される。
【００４４】
ここで、ユーザによって会議室Ａ１６２が利用される場合を例に挙げて、システム１０の動作を説明する。ユーザは、管理ボード１２０を確認することによって、利用されていない会議室を確認する。ユーザは、利用されていない会議室の中から会議室Ａ１６２を利用することを決定し、フック型デバイスＡ１５２のフックに掛けられている札Ａ１７２を取り外す。フック型デバイスＡ１５２は、フックから札Ａ１７２が取り外されると、フックに対する荷重が有る状態から無い状態に変化したことを通知する通知データを無線送信する。空間管理サーバ１００は、取得した通知データに基づいて、フック型デバイスＡ１５２を特定し、会議室Ａ１６２を利用予定として管理する。
【００４５】
フック型デバイスＡ１５２のフックから札Ａ１７２を取り外したユーザは、会議室Ａ１６２に移動し、会議室Ａ１６２に設置されているフック型デバイスＡ１５３のフックに札Ａ１７２を掛ける。フック型デバイスＡ１５３は、フックに札Ａ１７２が掛けられると、フックに対する荷重が無い状態から有る状態に変化したことを通知する通知データを無線送信する。空間管理サーバ１００は、取得した通知データに基づいて、フック型デバイスＡ１５３を特定し、会議室Ａ１６２の利用状況を、利用予定から利用中に変更する。
【００４６】
ユーザは、会議室Ａ１６２の利用が終了すると、フック型デバイスＡ１５３のフックに掛けられている札Ａ１７２を取り外す。フック型デバイスＡ１５３は、フックから札Ａ１７２が取り外されると、フックに対する荷重が有る状態から無い状態に変化したことを通知する通知データを無線送信する。空間管理サーバ１００は、取得した通知データに基づいて、フック型デバイスＡ１５３を特定し、会議室Ａ１６２を利用終了状態として管理する。
【００４７】
フック型デバイスＡ１５３のフックから札Ａ１７２を取り外したユーザは、管理ボード１２０に移動し、フック型デバイスＡ１５２のフックに札Ａ１７２を掛ける。フック型デバイスＡ１５２は、フックに札Ａ１７２が掛けられると、フックに対する荷重が無い状態から有る状態に変化したことを通知する通知データを無線送信する。空間管理サーバ１００は、取得した通知データに基づいて、フック型デバイスＡ１５２を特定し、会議室Ａ１６２の利用状況を利用終了状態から非利用中に変更する。
【００４８】
このように、例えば、会議室Ａ１６２に対して、管理ボード１２０に設置されたフック型デバイスＡ１５２と、会議室Ａ１６２に設置されたフック型デバイスＡ１５３とを対応付けることによって、フック型デバイスＡ１５２から物体が取り外された後、ユーザが会議室Ａ１６２に到着したことを把握可能にできる。
【００４９】
なお、システム１０は、管理対象の空間に設置された複数のフック型デバイス１５０のみを備えてもよい。この場合、空間を利用していない状態では、物体がフック型デバイス１５０に掛けられている。空間の利用者は、空間を利用する場合に、フック型デバイス１５０から物体を取り外し、空間の利用が終了した後、物体をフック型デバイス１５０に掛ける。
【００５０】
図３は、空間管理サーバ１００の機能構成の一例を概略的に示す。空間管理サーバ１００は、データ格納部１０２、通知データ取得部１０４、通知データ受信部１０６、利用状況管理部１０８、制御情報送信部１１０、要求受信部１１２及び利用状況通知部１１４を備える。なお、空間管理サーバ１００がこれらの全ての構成を備えることは必須とは限らない。
【００５１】
データ格納部１０２は、各種データを格納する。データ格納部１０２は、複数の空間のそれぞれの利用状況を示す利用状況データを格納する。利用状況の例として、利用中、非利用中、利用予定、利用終了状態等が挙げられる。また、データ格納部１０２は、複数の空間のそれぞれに、複数のフック型デバイス１５０のそれぞれを対応付ける対応付けデータを格納する。対応付けデータは、例えば、複数の空間のそれぞれの識別情報と、それぞれに対応するフック型デバイス１５０の識別情報とを含む。対応付けデータは、例えば、システム１０の管理者等による入力に基づいて生成される。
【００５２】
通知データ取得部１０４は、通知データを取得する。通知データ取得部１０４は、例えば、フック型デバイス１５０から通知データを受信した受信部から、通知データを取得する。通知データ取得部１０４は、例えば、ゲートウェイ５０から通知データを取得する。ゲートウェイ５０は、受信部の一例であってよい。通知データ取得部１０４は、取得した通知データをデータ格納部１０２に格納する。
【００５３】
通知データ受信部１０６は、フック型デバイス１５０から通知データを受信する。通知データ受信部１０６は、受信部の一例であってよい。通知データ取得部１０４は、通知データ受信部１０６が通知データを受信した場合、通知データ受信部１０６から通知データを取得する。
【００５４】
利用状況管理部１０８は、通知データ取得部１０４が取得した通知データに基づいて、空間の利用状況を管理する。利用状況管理部１０８は、例えば、通知データに含まれるフック型デバイス１５０の識別情報と、対応付けデータとを照合することによって、通知データを送信したフック型デバイス１５０に対応する空間を特定する。利用状況管理部１０８は、例えば、通知データに荷重が有る状態から無い状態に変化したことが含まれる場合に、特定した空間が利用中であると判定する。また、利用状況管理部１０８は、例えば、通知データに荷重が無い状態から有る状態に変化したことが含まれる場合に、特定した空間が非利用中であると判定する。利用状況管理部１０８は、判定結果に基づいて、データ格納部１０２に格納されている利用状況データを変更する。
【００５５】
制御情報送信部１１０は、利用状況管理部１０８の判定結果に基づいて、空間の利用状況を報知する報知デバイスを制御する制御情報を送信する。制御情報送信部１１０は、例えば、報知デバイスを制御する制御装置に制御情報を送信する。制御装置は、受信した制御情報に基づいて、報知デバイスを制御する。制御情報送信部１１０は、報知デバイスが制御情報を受信する機能を有している場合、報知デバイスに制御情報を送信してもよい。
【００５６】
報知デバイスは、例えば、空間を利用しようとするユーザが報知デバイスを確認し易い場所に設置される。報知デバイスは、例えば、複数の空間のそれぞれに設置される。報知デバイスは、例えば、ＬＥＤランプである。制御情報送信部１１０は、例えば、空間が利用中であると利用状況管理部１０８によって判定された場合、当該空間に設置されたＬＥＤランプを点灯させる制御情報を送信する。一方、制御情報送信部１１０は、空間が利用中でないと利用状況管理部１０８によって判定された場合、当該空間に設置されたＬＥＤランプを消灯させる制御情報を送信する。
【００５７】
要求受信部１１２は、空間の利用状況を確認する確認要求を受信する。要求受信部１１２は、例えば、空間の利用状況を確認したいユーザのユーザ端末によって送信された確認要求を受信する。確認要求は、確認対象の空間を識別する識別情報と、ユーザ端末に対して情報を送信するための送信先情報とを含んでよい。確認要求は、１つの空間の識別情報を含んでもよく、複数の空間の識別情報を含んでもよい。例えば、確認要求は、近接する複数の会議室のそれぞれに対応する識別情報を含む。
【００５８】
利用状況通知部１１４は、要求受信部１１２が確認要求を受信した場合に、確認要求に含まれる識別情報によって識別される空間の利用状況をデータ格納部１０２から取得して、確認要求に含まれる送信先情報を参照して、当該利用状況をユーザ端末に送信する。送信先情報は、例えば、電話番号及びメールアドレス等であってよい。
【００５９】
データ格納部１０２は、複数の空間のそれぞれに、複数の荷重の変化量のそれぞれを対応付ける対応付けデータを格納してもよい。利用状況管理部１０８は、例えば、通知データ取得部１０４が取得した通知データにフックに対する荷重の変化量が含まれる場合に、対応付けデータを参照することによって、通知データを送信したフック型デバイス１５０に対応する空間を特定する。そして、利用状況管理部１０８は、荷重が増加したか減少したかによって、特定した空間の利用状況を管理してよい。利用状況管理部１０８は、例えば、荷重が減少した場合、特定した空間を利用中として管理する。一方、利用状況管理部１０８は、荷重が増加した場合、特定した空間を非利用中として管理する。
【００６０】
データ格納部１０２は、複数の空間のそれぞれに対して２つのフック型デバイス１５０を対応付ける対応付けデータを格納してもよい。例えば、２つのフック型デバイス１５０のうち一方のフック型デバイス１５０は、２つのフック型デバイス１５０に対応する空間外に設置され、他方のフック型デバイス１５０は、２つのフック型デバイス１５０に対応する空間内に設置される。一方のフック型デバイス１５０は、例えば、管理ボード１２０に設置され、他方のフック型デバイス１５０は、例えば、会議室に設置される。
【００６１】
利用状況管理部１０８は、複数の空間のうちの１つの空間について、当該空間に対応する２つのフック型デバイス１５０のうち、一方のフック型デバイス１５０によって送信されたフックに対する荷重が有る状態から無い状態に変化したことを通知する通知データを通知データ取得部１０４が取得した場合に、当該空間を利用予定として管理し、他方のフック型デバイス１５０によって送信されたフックに対する荷重が無い状態から有る状態に変化したことを通知する通知データを通知データ取得部１０４が取得した場合に、当該空間を利用中として管理してよい。そして、利用状況管理部１０８は、当該他方のフック型デバイス１５０によって送信されたフックに対する荷重が有る状態から無い状態に変化したことを通知する通知データを通知データ取得部１０４が取得した場合に、当該空間を利用終了状態として管理し、当該一方のフック型デバイス１５０によって送信されたフックに対する荷重が無い状態から有る状態に変化したことを示す通知データを通知データ取得部１０４が取得した場合に、当該空間を非利用中として管理してよい。
【００６２】
利用状況管理部１０８は、複数の空間のうちの１つの空間について、当該空間に対応する２つのフック型デバイス１５０のうち、一方のフック型デバイス１５０によって送信されたフックに対する荷重が有る状態から無い状態に変化したことを通知する通知データを通知データ取得部１０４が取得して、当該空間を利用予定として管理している状態で、当該一方のフック型デバイス１５０によって送信されたフックに対する荷重が無い状態から有る状態に変化したことを通知する通知データを通知データ取得部１０４が取得した場合、当該空間を非利用中として管理してよい。
【００６３】
図４は、フック型デバイス１５０の一例を概略的に示す。フック型デバイス１５０は、本体部１８２及びフック１８４を備える。本体部１８２は、荷重検知部１８６及び通知データ送信部１８８を有する。フック１８４には、空間が利用中であるか否かを管理するための物体が掛かる。フック型デバイス１５０は、例えば、管理ボード１２０に設置される。フック型デバイス１５０は、空間管理サーバ１００が管理する空間に設置されてもよい。
【００６４】
荷重検知部１８６は、フック１８４に対する荷重が変化したことを検知する。荷重検知部１８６は、フック１８４に対する荷重の変化量をさらに検知してもよい。荷重検知部１８６は、例えば、フック１８４に対する荷重の変化量の大きさ及び増減を検知する。荷重検知部１８６は、例えば、荷重センサである。
【００６５】
通知データ送信部１８８は、通知データをフック型デバイス１５０の外部に無線送信する。通知データ送信部１８８は、例えば、ビーコンである。通知データ送信部１８８は、ＢＬＥビーコンであってもよい。通知データ送信部１８８は、バッテリーフリービーコンであってもよい。
【００６６】
通知データ送信部１８８は、荷重検知部１８６による検知に応じて、通知データをフック型デバイス１５０の外部に無線送信する。通知データ送信部１８８は、例えば、荷重検知部１８６がフック１８４に対する荷重が変化したことを検知した場合、フック型デバイス１５０の識別情報を含む通知データをフック型デバイス１５０の外部に無線送信する。
【００６７】
通知データ送信部１８８は、荷重検知部１８６がフック１８４に対する荷重の変化量を検知した場合、当該荷重の変化量を含む通知データをフック型デバイス１５０の外部に無線送信してもよい。この場合、通知データは、フック型デバイス１５０の識別情報を含まなくてもよい。
【００６８】
図５は、空間管理サーバ１００による処理の流れの一例を概略的に示す。図５は、空間管理サーバ１００が１つの通知データを取得した場合の処理の流れを示す。空間管理サーバ１００は、通知データを取得する度に、図５の処理を行う。
【００６９】
ステップ（ステップをＳと省略して記載する場合がある。）１０２では、利用状況管理部１０８は、通知データを送信したフック型デバイス１５０に対応付けられる空間を特定する。利用状況管理部１０８は、例えば、通知データ取得部１０４が取得した通知データに含まれるフック型デバイス１５０の識別情報と、データ格納部１０２に格納されている対応付けデータとを照合することによって、当該空間を特定する。
【００７０】
Ｓ１０４では、利用状況管理部１０８は、通知データを送信したフック型デバイス１５０のフック１８４に対する荷重が減少したか否かを判定する。利用状況管理部１０８は、例えば、通知データがフック１８４に対する荷重が有る状態から無い状態に変化したことを含む場合、荷重が減少したと判定し、通知データがフック１８４に対する荷重が無い状態から有る状態に変化したことを含む場合、荷重が増加したと判定する。荷重が減少したと判定した場合、Ｓ１０６に進み、荷重が増加したと判定した場合、Ｓ１０８に進む。
【００７１】
Ｓ１０６では、利用状況管理部１０８は、Ｓ１０２で特定した空間の利用状況を非利用中から利用中に変更する。Ｓ１０８では、利用状況管理部１０８は、Ｓ１０２で特定した空間の利用状況を利用中から非利用中に変更する。
【００７２】
図６は、空間管理サーバ１００による処理の流れの一例を概略的に示す。図６は、空間管理サーバ１００がフック１８４に対する荷重の変化量を含む１つの通知データを取得した場合の処理の流れである。空間管理サーバ１００は、フック１８４に対する荷重の変化量を含む通知データを取得する度に、図６の処理を行う。
【００７３】
Ｓ２０２では、利用状況管理部１０８は、通知データ取得部１０４によって取得された通知データに含まれるフック１８４に対する荷重の変化量の大きさを特定する。Ｓ２０４では、利用状況管理部１０８は、Ｓ２０２で特定したフック１８４に対する荷重の変化量の大きさと、データ格納部１０２に格納されている対応付けデータとを照合することによって、当該空間を特定する。
【００７４】
Ｓ２０６では、利用状況管理部１０８は、通知データに含まれるフック１８４に対する荷重の変化量が減少であるか否かを判定する。減少であると判定した場合、Ｓ２０６に進み、増加であると判定した場合、Ｓ２０８に進む。
【００７５】
Ｓ２１０では、利用状況管理部１０８は、Ｓ２０４で特定した空間の利用状況を非利用中から利用中に変更する。Ｓ２１２では、利用状況管理部１０８は、Ｓ２０４で特定した空間の利用状況を利用中から非利用中に変更する。
【００７６】
図７は、空間管理サーバ１００による処理の流れの一例を概略的に示す。図７は、空間管理サーバ１００がフック型デバイス１５０の識別情報のみを含む１つの通知データを取得した場合の処理の流れである。空間管理サーバ１００は、フック型デバイス１５０の識別情報のみを含む通知データを取得する度に、図７の処理を行う。
【００７７】
Ｓ３０２では、利用状況管理部１０８は、通知データに含まれるフック型デバイス１５０の識別情報と、データ格納部１０２に格納されている対応付けデータとを照合することによって、通知データを送信したフック型デバイス１５０に対応付けられる空間を特定する。
【００７８】
Ｓ３０４では、利用状況管理部１０８は、データ格納部１０２に格納されている対応付けデータを参照することによって、Ｓ３０２で特定した空間が非利用中であるか否かを判定する。非利用中であると判定した場合、Ｓ３０６に進み、利用中であると判定した場合、Ｓ３０８に進む。
【００７９】
Ｓ３０６では、利用状況管理部１０８は、Ｓ３０２で特定した空間の利用状況を非利用中から利用中に変更する。Ｓ３０８では、利用状況管理部１０８は、Ｓ３０２で特定した空間の利用状況を利用中から非利用中に変更する。
【００８０】
図８は、システム２０の一例を概略的に示す。本実施形態に係るシステム２０は、空間管理サーバ２００及び照度型デバイス２５０を備える。システム２０は、ゲートウェイ５０を備えてよい。
【００８１】
空間管理サーバ２００は、空間の利用状況を管理する。空間管理サーバ２００が利用状況を管理する対象となる空間は、空間管理サーバ１００が利用状況を管理する対象となる空間と同様であってよい。
【００８２】
照度型デバイス２５０は、照度型デバイス２５０に対応付けられた空間が利用中であるか否かを管理するための物体に設置される。物体は、空間が利用中でないことを示す第１の面と、空間が利用中であることを示す第２の面とを有するプレートであってよい。物体の例として、カード、下げ札及びスライドプレート等が挙げられる。照度型デバイス２５０は、空間が利用中であるか否かを管理するための物体の状況を判定するデバイスの一例であってよい。
【００８３】
照度型デバイス２５０は、物体の第１の面又は第２の面に配置される照度センサを有する。照度型デバイス２５０の全体が物体の第１の面又は第２の面に配置されてもよい。照度センサが物体の第１の面に配置された場合、照度型デバイス２５０は、照度センサによって検出された照度が閾値より高い場合、第１の面が有効になっていることを検出し、閾値より低い場合、第１の面が有効になっていないことを検出する。照度センサが物体の第２の面に配置された場合、照度型デバイス２５０は、照度センサによって検出された照度が閾値より高い場合、第２の面が有効になっていることを検出し、閾値より低い場合、第２の面が有効になっていないことを検出する。
【００８４】
物体がカード又は下げ札である場合、物体の第２の面は、第１の面の反対側の面である。物体がスライドプレートである場合、物体は、第１の面上と第２の面上との間をスライドするスライド部材を有する。
【００８５】
システム２０は、照度型デバイス２５０の周囲に設置された外部光源をさらに備えてもよい。外部光源は、例えば、ＬＥＤタッチライトである。
【００８６】
照度型デバイス２５０は、照度センサによって検出された照度が閾値より高くなったことに応じて、照度が閾値より高くなったことを示す通知データを照度型デバイス２５０の外部に無線送信し、照度センサによって検出された照度が閾値より低くなったことに応じて、照度が閾値より低くなったことを示す通知データを照度型デバイス２５０の外部に無線送信する通知データ送信部を備える。
【００８７】
照度型デバイス２５０は、例えば、通知データをゲートウェイ５０に無線送信する。ゲートウェイ５０は、照度型デバイス２５０から受信した通知データを、ネットワーク６０を介して空間管理サーバ２００に送信する。照度型デバイス２５０からのゲートウェイ５０又は空間管理サーバ２００に対する通知データの送信方法は、フック型デバイス１５０からのゲートウェイ５０又は空間管理サーバ１００に対する通知データの送信方法と同様であってよい。
【００８８】
空間管理サーバ２００は、照度センサが物体の第１の面に配置されている場合、照度センサによって検出された照度が閾値より高くなったことを示す通知データを取得した場合に、空間が利用中でないと判定する。一方、照度センサによって検出された照度が閾値より低くなったことを示す通知データを取得した場合に、空間が利用中であると判定する。
【００８９】
空間管理サーバ２００は、照度センサが物体の第２の面に配置されている場合、照度センサによって検出された照度が閾値より低くなったことを示す通知データを取得した場合に、空間が利用中でないと判定する。一方、照度センサによって検出された照度が閾値より高くなったことを示す通知データを取得した場合に、空間が利用中であると判定する。
【００９０】
図８では、物体がカード２７０である場合を一例として図示している。空間管理サーバ２００は、会議室２６５にカード２７０を対応付けている。
【００９１】
カード２７０は、第１の面に配置された照度型デバイス２５０を有する。カード２７０の第１の面には「空き」と記されており、カード２７０の第２の面には「利用中」と記されている。
【００９２】
ここで、ユーザによって会議室２６５が利用される場合を例に挙げて、システム２０の動作を説明する。ユーザは、他のユーザに利用されていない会議室２６５に入室すると、第１の面が有効になっている状態のカード２７０を裏返す。第１の面が有効になっている状態のカード２７０が裏返されると、照度センサによって検出される照度は、閾値より低くなる。照度型デバイス２５０は、照度センサによって検出された照度が閾値より低くなったことを示す通知データを無線送信する。空間管理サーバ２００は、取得した通知データに基づいて、照度型デバイス２５０を特定し、会議室２６５を利用中として管理する。
【００９３】
ユーザは、会議室２６５の利用が終了すると、裏返されているカード２７０を第１の面が有効になっている状態に戻す。照度型デバイス２５０は、カード２７０が第１の面が有効になっている状態に戻されると、照度センサによって検出された照度が閾値より高くなったことを示す通知データを無線送信する。空間管理サーバ２００は、取得した通知データに基づいて、照度型デバイス２５０を特定し、会議室２６５を非利用中として管理する。
【００９４】
照度型デバイス２５０は、フック型デバイス１５０と同様に、人感センサを用いる場合比較して、設置コストを低減することができる。また、そのもののコストも低減することができる。よって、システム２０によれば、従来のシステムに比べて低コストで空間の利用状況を管理可能にできる。
【００９５】
システム２０の他の一例として、照度型デバイス２５０に代えて接触型デバイスが物体に配置される。この場合、物体は、カード又はスライドプレートである。接触型デバイスは、接触センサによって物体の第１の面と第２の面とのいずれが有効になっているかを検出する。
【００９６】
システム２０の他の一例として、照度型デバイス２５０に代えて磁気型デバイスが物体に配置される。この場合、物体は、スライドプレートである。磁気型デバイスは、スライドプレートの端部側に配置された磁気センサを備え、磁気センサによって検出された磁気が予め定められた閾値より高いか否かによって物体の第１の面と第２の面とのいずれが有効になっているかを検出する。
【００９７】
図９は、空間管理サーバ２００の機能構成の一例を概略的に示す。空間管理サーバ２００は、データ格納部２０２、通知データ取得部２０４、通知データ受信部２０６、利用状況管理部２０８、制御情報送信部２１０、要求受信部２１２、利用状況通知部２１４、閾値決定部２１６、デバイス送信部２１８及び閾値通知部２２０を備える。なお、空間管理サーバ２００がこれらの全ての構成を備えることは必須とは限らない。
【００９８】
データ格納部２０２は、各種データを格納する。データ格納部２０２は、複数の空間のそれぞれの利用状況を示す利用状況データを格納する。利用状況の例として、利用中及び非利用中等が挙げられる。また、データ格納部２０２は、複数の空間のそれぞれに、複数の照度型デバイス２５０のそれぞれを対応付ける対応付けデータを格納する。対応付けデータは、例えば、複数の空間のそれぞれの識別情報と、それぞれに対応する照度型デバイス２５０の識別情報とを含む。対応付けデータは、例えば、システム２０の管理者等による入力に基づいて生成される。
【００９９】
通知データ取得部２０４は、通知データ取得部１０４と同様の機能を有する。通知データ受信部２０６は、通知データ受信部１０６と同様の機能を有する。
【０１００】
利用状況管理部２０８は、通知データ取得部２０４が取得した通知データに基づいて空間の利用状況を管理する。利用状況管理部２０８は、例えば、通知データに含まれる照度型デバイス２５０の識別情報と、対応付けデータとを照合することによって、通知データを送信した照度型デバイス２５０に対応する空間を特定する。
【０１０１】
利用状況管理部２０８は、例えば、照度型デバイス２５０が物体の第１の面に配置されている場合、通知データに照度が閾値より高くなったことが含まれる場合に、特定した空間が非利用中であると判定する。また、利用状況管理部２０８は、通知データに照度が閾値より低くなったことが含まれる場合に、特定した空間が利用中であると判定する。利用状況管理部２０８は、判定結果に基づいて、データ格納部２０２に格納されている利用状況データを変更する。
【０１０２】
利用状況管理部２０８は、例えば、照度型デバイス２５０が物体の第２の面に配置されている場合、通知データに、照度が閾値より高くなったことが含まれる場合に、特定した空間が利用中であると判定する。また、利用状況管理部２０８は、通知データに照度が閾値より低くなったことが含まれる場合に、特定した空間が利用中でないと判定する。利用状況管理部２０８は、判定結果に基づいて、データ格納部２０２に格納されている利用状況データを変更する。
【０１０３】
制御情報送信部２１０は、制御情報送信部１１０と同様の機能を有する。要求受信部２１２は、要求受信部１１２と同様の機能を有する。利用状況通知部２１４は、利用状況通知部１１４と同様の機能を有する。
【０１０４】
閾値決定部２１６は、照度型デバイス２５０が照度センサによって検出された照度と比較するための閾値を決定する。閾値決定部２１６は、例えば、当該閾値を定期的に決定する。閾値決定部２１６は、システム２０の管理者等から閾値を決定する要請を受け付けた場合に、当該閾値を決定してもよい。
【０１０５】
管理者等は、例えば、実験的に複数回に渡って、物体の第１の面が有効になっている場合に照度型デバイス２５０の照度センサによって検出された照度と、物体の第２の面が有効になっている場合に照度型デバイス２５０の照度センサによって検出された照度とをデータ格納部２０２に格納させる。閾値決定部２１６は、データ格納部２０２に格納されているこれらの照度に基づいて、閾値を決定する。閾値決定部２１６は、第１の面が有効なっている場合と、第２の面が有効になっている場合とを適切に識別可能な閾値を決定する。閾値の決定法としては、任意の手法を採用し得る。
【０１０６】
デバイス送信部２１８は、照度型デバイス２５０に対して、閾値決定部２１６によって決定された閾値を送信する。閾値通知部２２０は、閾値決定部２１６によって決定された閾値を通知する。閾値通知部２２０は、例えば、空間管理サーバ２００が備えるディスプレイに当該閾値を表示することによって通知する。閾値通知部２２０は、システム２０の管理者等が所有する端末に当該閾値を送信することによって通知してもよい。
【０１０７】
図１０は、照度型デバイス２５０の機能構成の一例を概略的に示す。照度型デバイス２５０は、閾値格納部２５２、照度センサ２５４、照度判定部２５６、通知データ送信部２５８、閾値受信部２６０及び閾値設定部２６２を備える。なお、照度型デバイス２５０がこれらの全ての構成を備えることは必須とは限らない。
【０１０８】
閾値格納部２５２は、閾値を格納する。閾値は、例えば、照度型デバイス２５０が設置される空間の照度に基づいて、予め設定される。例えば、システム２０の管理者等は、照度型デバイス２５０を空間に設置する際に、当該空間内の複数の場所で、照度型デバイス２５０を配置するプレートの面が有効になっている場合の照度及び照度型デバイス２５０を配置するプレートの面が有効になっていない場合の照度を照度型デバイス２５０を用いて測定する。閾値は、システム２０の管理者等によって測定された照度に基づいて、照度型デバイス２５０を配置するプレートの面が有効になっている場合を空間内の任意の場所で検出できる値に設定される。
【０１０９】
閾値は、複数の空間の照度に基づいて、予め設定されてもよい。例えば、予め定められた閾値は、複数の空間で測定された、照度型デバイス２５０を配置するプレートの面が有効になっている場合の照度型デバイス２５０の照度センサの照度及び照度型デバイス２５０を配置するプレートの面が有効になっていない場合の照度型デバイス２５０の照度センサの照度に基づいて、設定される。
【０１１０】
照度センサ２５４は、空間の照度を検出する。照度センサ２５４は、プレートの第１の面又は第２の面に配置される。
【０１１１】
照度判定部２５６は、照度センサ２５４によって検出された照度に対する判定を行う。照度判定部２５６は、例えば、照度センサ２５４によって検出された照度の変化が予め定められた条件を満たしているかを判定する。照度判定部２５６は、例えば、照度センサ２５４によって検出される照度が閾値格納部２５２に格納されている閾値より高くなったかを判定する。照度判定部２５６は、例えば、照度センサ２５４によって検出される照度が閾値格納部２５２に格納されている閾値より低くなったかを判定する。
【０１１２】
通知データ送信部２５８は、照度センサ２５４による検出結果を含む通知データを照度型デバイス２５０の外部に無線送信する。通知データ送信部２５８は、例えば、照度センサ２５４によって検出された照度の変化が予め定められた条件を満たしたと照度判定部２５６によって判定されたことに応じて、通知データを照度型デバイス２５０の外部に無線送信する。
【０１１３】
通知データ送信部２５８は、例えば、照度センサ２５４によって検出される照度が閾値格納部２５２に格納されている閾値より高くなったと照度判定部２５６によって判定された場合に、通知データを照度型デバイス２５０の外部に無線送信する。通知データは、当該照度が当該閾値より高くなったことを示してよい。一方、通知データ送信部２５８は、照度センサ２５４によって検出される照度が閾値格納部２５２に格納されている閾値より低くなったと照度判定部２５６によって判定された場合に、通知データを照度型デバイス２５０の外部に無線送信する。通知データは、当該照度が当該閾値より低くなったことを示してよい。
【０１１４】
閾値受信部２６０は、閾値を受信する。閾値受信部２６０は、例えば、空間管理サーバ２００のデバイス送信部２１８によって送信された閾値を受信する。閾値受信部２６０は、例えば、システム２０を管理する管理者の端末によって送信された閾値を受信してもよい。
【０１１５】
閾値設定部２６２は、閾値を設定する。閾値設定部２６２は、例えば、閾値格納部２５２に格納されている閾値を、閾値受信部２６０によって受信された閾値に変更する。閾値設定部２６２は、閾値格納部２５２に格納されている閾値を、システム２０の管理者等によって入力された閾値に変更してもよい。
【０１１６】
照度型デバイス２５０は、例えば、プレートの第１の面又は第２の面に配置される。照度型デバイス２５０は、照度型デバイス２５０の構成のうち照度センサ２５４のみがプレートの第１の面又は第２の面に配置され、その他の構成は、プレート内に組み込まれてもよい。
【０１１７】
図１１は、スライドプレート２７２の一例を概略的に示す。スライドプレート２７２は、本体部２７３及びスライド部材２７４を備える。スライドプレート２７２には、照度型デバイス２５０が配置される。図１１に示す例では、照度型デバイス２５０は、スライドプレート２７２の第１の面２７６に配置されている。照度型デバイス２５０は、スライドプレート２７２の第２の面２７８に配置されてもよい。
【０１１８】
スライド部材２７４は、スライドプレート２７２の第１の面２７６上と第２の面２７８上との間をスライドする。例えば、スライド部材２７４が第１の面２７６から第２の面２７８にスライドされた場合、照度型デバイス２５０が露出されるので、照度型デバイス２５０は、スライドプレート２７２の状況が第１の面２７６が有効になったことを検出する。一方、スライド部材２７４が第２の面２７８から第１の面２７６にスライドされた場合、照度型デバイス２５０がスライド部材２７４によって遮られるので、照度型デバイス２５０は、スライドプレート２７２の状況が第２の面２７８が有効になったことを検出する。
【０１１９】
図１２は、空間管理サーバ２００による処理の流れの一例を概略的に示す。図１２は、空間管理サーバ２００が１つの通知データを取得した場合の処理の流れである。空間管理サーバ２００は、通知データを取得する度に、図１２の処理を行う。
【０１２０】
Ｓ４０２では、利用状況管理部２０８は、通知データを送信した照度型デバイス２５０に対応付けられる空間を特定する。利用状況管理部２０８は、例えば、通知データ取得部２０４が取得した通知データに含まれる照度型デバイス２５０の識別情報と、データ格納部２０２に格納されている対応付けデータとを照合することによって、当該空間を特定する。
【０１２１】
Ｓ４０４では、利用状況管理部２０８は、通知データを参照して、照度が減少したか否かを判定する。利用状況管理部２０８は、例えば、通知データが、照度が閾値より低くなったことを含む場合、照度が減少したと判定する。照度が減少したと判定した場合、Ｓ４０６に進み、照度が増加したと判定した場合、Ｓ４０８に進む。
【０１２２】
Ｓ４０６では、利用状況管理部２０８は、Ｓ４０２で特定した空間の利用状況を非利用中から利用中に変更する。Ｓ４０８では、利用状況管理部２０８は、Ｓ４０４での判定結果に基づいて、Ｓ４０２で特定した空間の利用状況を利用中から非利用中に変更する。
【０１２３】
図１３は、空間管理サーバ２００による処理の流れの一例を概略的に示す。図１３は、空間管理サーバ２００が照度型デバイス２５０の識別情報のみを含む１つの通知データを取得した場合の処理の流れである。空間管理サーバ２００は、照度型デバイス２５０の識別情報のみを含む１つの通知データを取得する度に、図１３の処理を行う。
【０１２４】
Ｓ５０２では、利用状況管理部２０８は、通知データに含まれる照度型デバイス２５０の識別情報と、データ格納部２０２に格納されている対応付けデータとを照合することによって、通知データを送信した照度型デバイス２５０に対応付けられる空間を特定する。
【０１２５】
Ｓ５０４では、利用状況管理部２０８は、データ格納部２０２に格納されている対応付けデータを参照することによって、Ｓ５０２で特定した空間が非利用中であるか否かを判定する。非利用中であると判定した場合、Ｓ５０６に進み、利用中であると判定した場合、Ｓ５０８に進む。
【０１２６】
Ｓ５０６では、利用状況管理部２０８は、Ｓ５０２で特定した空間の利用状況を非利用中から利用中に変更する。Ｓ５０８では、利用状況管理部１０８は、Ｓ５０４での判定結果に基づいて、Ｓ５０２で特定した空間の利用状況を利用中から非利用中に変更する。
【０１２７】
図１４は、システム３０の一例を概略的に示す。本実施形態に係るシステム３０は、空間管理サーバ３００を備える。システム３０は、ユーザ端末７０を備えてもよい。システム３０は、ゲートウェイ５０を備えてよい。
【０１２８】
空間管理サーバ３００は、会議室を管理する。空間管理サーバ３００は、例えば、会議室の利用者及び会議室の利用時間を管理する。
【０１２９】
ユーザ端末７０は、会議室を利用するユーザが所有する端末である。例えば、ユーザ端末７０は、スマートフォン等の携帯電話、タブレット端末及びウェアラブル端末等であってよい。
【０１３０】
二次元バーコード８０は、会議室の識別情報及び空間管理サーバ３００にアクセスするための情報を含む。空間管理サーバ３００にアクセスするための情報は、例えば、空間管理サーバ３００のＵＲＬである。二次元バーコード８０は、例えば、会議室の扉に配置される。
【０１３１】
ユーザは、会議室を利用する際に、ユーザ端末７０に二次元バーコード８０を読み取らせる。ユーザは、ユーザ端末７０のカメラの撮影範囲に二次元バーコード８０が含まれるように、ユーザ端末７０の位置等を調整することによって、ユーザ端末７０に二次元バーコード８０を読み取らせる。
【０１３２】
ユーザ端末７０は、読み取った二次元バーコード８０に含まれる会議室の識別情報を用いて、利用データを生成する。利用データは、会議室の識別情報、利用者情報及び会議室の利用時間情報を含む。利用者情報は、例えば、ユーザ端末７０を所有するユーザのユーザ名である。利用者情報は、ユーザ端末７０の電話番号又はメールアドレスをさらに含んでよい。利用者情報及び会議室の利用時間情報は、ユーザによってユーザ端末７０に入力される。
【０１３３】
ユーザ端末７０は、読み取った二次元バーコード８０に含まれる空間管理サーバ３００にアクセスするための情報を用いて、生成した利用データを空間管理サーバ３００に無線送信する。空間管理サーバ３００は、取得した利用データに基づいて、会議室を利用する利用者及び当該利用者が会議室を利用する利用時間を登録する。
【０１３４】
システム３０は、複数のフック型デバイス１５０を備えてもよい。この場合、空間管理サーバ３００は、空間管理サーバ１００と同様の機能を有する。
【０１３５】
ここで、ユーザが会議室を利用する場合を例に挙げてシステム３０の動作を説明する。会議室を利用するユーザは、管理ボード１２０に設置されている、利用対象の会議室に対応するフック型デバイス１５０のフックから、札を取り外す。フック型デバイス１５０は、フックから札が取り外されると、フックに対する荷重が有る状態から無い状態に変化したことを通知する通知データを無線送信する。空間管理サーバ３００は、取得した通知データに基づいて、フック型デバイス１５０に対応する会議室の利用状況が利用中であると判定する。
【０１３６】
フック型デバイス１５０から札を取り外したユーザは、利用する会議室に移動し、ユーザ端末７０に二次元バーコード８０を読み取らせる。ユーザ端末７０は、二次元バーコード８０を読み取ると、利用データを生成して空間管理サーバ３００に無線送信する。空間管理サーバ３００は、取得した利用データに基づいて、会議室の利用者及び会議室の利用時間を登録する。
【０１３７】
ユーザは、会議室の利用が終了すると、会議室に対応するフック型デバイスのフックに札を掛ける。フック型デバイス１５０は、フックに札が掛けられると、フックに対する荷重が無い状態から有る状態に変化したことを通知する通知データを無線送信する。空間管理サーバ３００は、取得した通知データに基づいて、フック型デバイス１５０に対応する会議室の利用状況を非利用中と判定して、会議室の利用者及び会議室の利用時間を削除する。
【０１３８】
利用データは、任意のタイミングで無線送信されてよい。また、二次元バーコード８０は、フック型デバイス１５０に掛けられる札に配置されてもよい。
【０１３９】
システム３０が複数のフック型デバイス１５０を備えることによって、システム３０は、会議室を利用する利用者、当該利用者が会議室を利用する利用時間及び会議室の利用状況を一括で管理できる。これにより、例えば、会議室の利用時間が経過したにもかかわらず、利用状況が非利用中に変わらない場合に、利用者に対して警告を行うこと等ができる。
【０１４０】
システム３０は、複数の照度型デバイス２５０を備えてもよい。この場合、空間管理サーバ３００は、空間管理サーバ２００と同様の機能を有する。
【０１４１】
ここで、ユーザが会議室を利用する場合を例に挙げてシステム３０の動作を説明する。会議室を利用するユーザは、利用する会議室に移動し、ユーザ端末７０に二次元バーコード８０を読み取らせる。ユーザ端末７０は、二次元バーコード８０を読み取ると、利用データを生成して空間管理サーバ３００に無線送信する。空間管理サーバ３００は、取得した利用データに基づいて、会議室の利用者及び会議室の利用時間を登録する。
【０１４２】
ユーザは、会議室に入室すると、第１の面が有効になっている状態のカードを裏返す。照度型デバイス２５０は、カード２７０が裏返されると、照度センサによって検出された照度が閾値より低くなったことを示す通知データを無線送信する。空間管理サーバ３００は、取得した通知データに基づいて、照度型デバイス２５０に対応する会議室の利用状況が利用中であると判定する。
【０１４３】
ユーザは、会議室の利用が終了すると、裏返されているカードを第１の面が有効になっている状態に戻す。照度型デバイス２５０は、カードが第１の面が有効になっている状態に戻されると、照度センサによって検出された照度が閾値より高くなったことを示す通知データを無線送信する。空間管理サーバ３００は、取得した通知データに基づいて、照度型デバイス２５０に対応する会議室の利用状況が非利用中であると判定し、会議室の利用者及び会議室の利用時間を削除する。
【０１４４】
利用データは、任意のタイミングで無線送信されてよい。また、二次元バーコード８０は、カードの第１の面又は第２の面に配置されてもよい。
【０１４５】
システム３０が複数の照度型デバイス２５０を備えることによって、システム３０は、システム３０が複数のフック型デバイス１５０を備える場合と同様に、会議室を利用する利用者、当該利用者が会議室を利用する利用時間及び会議室の利用状況を一括で管理できる。
【０１４６】
図１５は、空間管理サーバ３００の機能構成の一例を概略的に示す。ここでは、空間管理サーバ３００が、空間管理サーバ１００と同様の機能を有する場合の空間管理サーバ３００の機能構成を示す。空間管理サーバ３００は、データ格納部３０２、通知データ取得部３０４、通知データ受信部３０６、利用状況管理部３０８、制御情報送信部３１０、要求受信部３１２、利用状況通知部３１４、利用データ受信部３１６、及び通知情報送信部３１８を備える。なお、空間管理サーバ３００がこれらの全ての構成を備えることは必須とは限らない。
【０１４７】
データ格納部３０２は、各種データを格納する。データ格納部３０２は、データ格納部１０２が格納する情報に加えて、利用データをさらに格納する。
【０１４８】
通知データ取得部３０４は、通知データ取得部１０４と同様の機能を有する。通知データ受信部３０６は、通知データ受信部１０６と同様の機能を有する。
【０１４９】
利用状況管理部３０８は、利用状況管理部１０８と同様にして、空間の利用状況を管理する。利用状況管理部３０８は、会議室の利用者及び会議室の利用時間をさらに管理する。
【０１５０】
制御情報送信部３１０は、制御情報送信部１１０と同様の機能を有する。要求受信部３１２は、要求受信部１１２と同様の機能を有する。利用状況通知部１１４は、利用状況通知部１１４と同様の機能を有する。
【０１５１】
利用データ受信部３１６は、利用データを受信する。利用データ受信部３１６は、例えば、会議室を利用するユーザが所有するユーザ端末７０によって送信された利用データを受信する。利用データ受信部３１６は、受信した利用データをデータ格納部３０２に格納する。
【０１５２】
利用状況管理部３０８は、利用データ受信部３１６によって受信された利用データに基づいて、会議室の利用者及び会議室の利用時間を管理する。利用状況管理部３０８は、例えば、会議室の利用時間が終了してから一定時間が経過しても会議室の利用状況が利用中である場合、当該利用者が札を返却し忘れている可能性があると判定する。
【０１５３】
通知情報送信部３１８は、利用状況管理部３０８によって利用者が札を返却し忘れている可能性があると判定された場合、通知情報を当該利用者のユーザ端末７０に送信する。通知情報は、例えば、予定している利用時間を経過しているので、会議が終了しているのであれば札を返却してほしい旨を通知する内容を含む。
【０１５４】
図１６は、空間管理サーバ３００の機能構成の一例を概略的に示す。ここでは、空間管理サーバ３００が、空間管理サーバ２００と同様の機能を有する場合の空間管理サーバ３００の機能構成を示す。空間管理サーバ３００は、データ格納部３５２、通知データ取得部３５４、通知データ受信部３５６、利用状況管理部３５８、制御情報送信部３６０、要求受信部３６２、利用状況通知部３６４、閾値決定部３６６、デバイス送信部３６８、閾値通知部３７０、利用データ受信部３７２及び通知情報送信部３７４を備える。なお、空間管理サーバ３００がこれらの全ての構成を備えることは必須とは限らない。
【０１５５】
データ格納部３５２は、各種データを格納する。データ格納部３５２は、データ格納部２０２が格納する情報に加えて、利用データをさらに格納する。
【０１５６】
通知データ取得部３５４は、通知データ取得部２０４と同様の機能を有する。通知データ受信部３５６は、通知データ受信部３０６と同様の機能を有する。
【０１５７】
利用状況管理部３５８は、利用状況管理部２０８と同様にして、空間の利用状況を管理する。利用状況管理部３５８は、会議室の利用者及び会議室の利用時間をさらに管理する。
【０１５８】
制御情報送信部３６０は、制御情報送信部２１０と同様の機能を有する。要求受信部３６２は、要求受信部２１２と同様の機能を有する。利用状況通知部３６４は、利用状況通知部２１４と同様の機能を有する。閾値決定部３６６は、閾値決定部２１６と同一の機能を有する。デバイス送信部３６８は、デバイス送信部２１８と同様の機能を有する。閾値通知部３７０は、閾値通知部２２０と同様の機能と有する。
【０１５９】
利用データ受信部３７２は、利用データを受信する。利用データ受信部３７２は、例えば、会議室を利用するユーザが所有するユーザ端末７０によって送信された利用データを受信する。利用データ受信部３７２は、受信した利用データをデータ格納部３５２に格納する。
【０１６０】
利用状況管理部３５８は、利用データ受信部３１６によって受信された利用データに基づいて、会議室の利用者及び会議室の利用時間を管理する。利用状況管理部３５８は、例えば、会議室の利用時間が終了してから一定時間が経過しても会議室の利用状況が利用中である場合、当該利用者がカードを裏返し忘れている可能性があると判定する。
【０１６１】
通知情報送信部３７４は、利用状況管理部３５８によって、利用者がカードを裏返し忘れている可能性があると判定された場合に、通知情報を当該利用者のユーザ端末７０に送信する。通知情報は、例えば、予定している利用時間を経過しているので、会議が終了しているのであればカードを裏返してほしい旨を通知する内容を含む。
【０１６２】
図１７は、空間管理サーバ１００、空間管理サーバ２００又は空間管理サーバ３００として機能するコンピュータ１２００のハードウェア構成の一例を概略的に示す。コンピュータ１２００にインストールされたプログラムは、コンピュータ１２００を、上記実施形態に係る装置の１又は複数の「部」として機能させ、又はコンピュータ１２００に、上記実施形態に係る装置に関連付けられるオペレーション又は当該１又は複数の「部」を実行させることができ、及び／又はコンピュータ１２００に、上記実施形態に係るプロセス又は当該プロセスの段階を実行させることができる。そのようなプログラムは、コンピュータ１２００に、本明細書に記載のフローチャート及びブロック図のブロックのうちのいくつか又はすべてに関連付けられた特定のオペレーションを実行させるべく、ＣＰＵ１２１２によって実行されてよい。
【０１６３】
本実施形態によるコンピュータ１２００は、ＣＰＵ１２１２、ＲＡＭ１２１４、及びグラフィックコントローラ１２１６を含み、それらはホストコントローラ１２１０によって相互に接続されている。コンピュータ１２００はまた、通信インタフェース１２２２、記憶装置１２２４、ＤＶＤドライブ１２２６、及びＩＣカードドライブのような入出力ユニットを含み、それらは入出力コントローラ１２２０を介してホストコントローラ１２１０に接続されている。ＤＶＤドライブ１２２６は、ＤＶＤ−ＲＯＭドライブ及びＤＶＤ−ＲＡＭドライブ等であってよい。記憶装置１２２４は、ハードディスクドライブ及びソリッドステートドライブ等であってよい。コンピュータ１２００はまた、ＲＯＭ１２３０及びキーボードのようなレガシの入出力ユニットを含み、それらは入出力チップ１２４０を介して入出力コントローラ１２２０に接続されている。
【０１６４】
ＣＰＵ１２１２は、ＲＯＭ１２３０及びＲＡＭ１２１４内に格納されたプログラムに従い動作し、それにより各ユニットを制御する。グラフィックコントローラ１２１６は、ＲＡＭ１２１４内に提供されるフレームバッファ等又はそれ自体の中に、ＣＰＵ１２１２によって生成されるイメージデータを取得し、イメージデータがディスプレイデバイス１２１８上に表示されるようにする。
【０１６５】
通信インタフェース１２２２は、ネットワークを介して他の電子デバイスと通信する。記憶装置１２２４は、コンピュータ１２００内のＣＰＵ１２１２によって使用されるプログラム及びデータを格納する。ＤＶＤドライブ１２２６は、プログラム又はデータをＤＶＤ−ＲＯＭ１２２７等から読み取り、記憶装置１２２４に提供する。ＩＣカードドライブは、プログラム及びデータをＩＣカードから読み取り、及び／又はプログラム及びデータをＩＣカードに書き込む。
【０１６６】
ＲＯＭ１２３０はその中に、アクティブ化時にコンピュータ１２００によって実行されるブートプログラム等、及び／又はコンピュータ１２００のハードウェアに依存するプログラムを格納する。入出力チップ１２４０はまた、様々な入出力ユニットをＵＳＢポート、パラレルポート、シリアルポート、キーボードポート、マウスポート等を介して、入出力コントローラ１２２０に接続してよい。
【０１６７】
プログラムは、ＤＶＤ−ＲＯＭ１２２７又はＩＣカードのようなコンピュータ可読記憶媒体によって提供される。プログラムは、コンピュータ可読記憶媒体から読み取られ、コンピュータ可読記憶媒体の例でもある記憶装置１２２４、ＲＡＭ１２１４、又はＲＯＭ１２３０にインストールされ、ＣＰＵ１２１２によって実行される。これらのプログラム内に記述される情報処理は、コンピュータ１２００に読み取られ、プログラムと、上記様々なタイプのハードウェアリソースとの間の連携をもたらす。装置又は方法が、コンピュータ１２００の使用に従い情報のオペレーション又は処理を実現することによって構成されてよい。
【０１６８】
例えば、通信がコンピュータ１２００及び外部デバイス間で実行される場合、ＣＰＵ１２１２は、ＲＡＭ１２１４にロードされた通信プログラムを実行し、通信プログラムに記述された処理に基づいて、通信インタフェース１２２２に対し、通信処理を命令してよい。通信インタフェース１２２２は、ＣＰＵ１２１２の制御の下、ＲＡＭ１２１４、記憶装置１２２４、ＤＶＤ−ＲＯＭ１２２７、又はＩＣカードのような記録媒体内に提供される送信バッファ領域に格納された送信データを読み取り、読み取られた送信データをネットワークに送信し、又はネットワークから受信した受信データを記録媒体上に提供される受信バッファ領域等に書き込む。
【０１６９】
また、ＣＰＵ１２１２は、記憶装置１２２４、ＤＶＤドライブ１２２６（ＤＶＤ−ＲＯＭ１２２７）、ＩＣカード等のような外部記録媒体に格納されたファイル又はデータベースの全部又は必要な部分がＲＡＭ１２１４に読み取られるようにし、ＲＡＭ１２１４上のデータに対し様々なタイプの処理を実行してよい。ＣＰＵ１２１２は次に、処理されたデータを外部記録媒体にライトバックしてよい。
【０１７０】
様々なタイプのプログラム、データ、テーブル、及びデータベースのような様々なタイプの情報が記録媒体に格納され、情報処理を受けてよい。ＣＰＵ１２１２は、ＲＡＭ１２１４から読み取られたデータに対し、本開示の随所に記載され、プログラムの命令シーケンスによって指定される様々なタイプのオペレーション、情報処理、条件判断、条件分岐、無条件分岐、情報の検索／置換等を含む、様々なタイプの処理を実行してよく、結果をＲＡＭ１２１４に対しライトバックする。また、ＣＰＵ１２１２は、記録媒体内のファイル、データベース等における情報を検索してよい。例えば、各々が第２の属性の属性値に関連付けられた第１の属性の属性値を有する複数のエントリが記録媒体内に格納される場合、ＣＰＵ１２１２は、当該複数のエントリの中から、第１の属性の属性値が指定されている条件に一致するエントリを検索し、当該エントリ内に格納された第２の属性の属性値を読み取り、それにより予め定められた条件を満たす第１の属性に関連付けられた第２の属性の属性値を取得してよい。
【０１７１】
上で説明したプログラム又はソフトウェアモジュールは、コンピュータ１２００上又はコンピュータ１２００近傍のコンピュータ可読記憶媒体に格納されてよい。また、専用通信ネットワーク又はインターネットに接続されたサーバシステム内に提供されるハードディスク又はＲＡＭのような記録媒体が、コンピュータ可読記憶媒体として使用可能であり、それによりプログラムを、ネットワークを介してコンピュータ１２００に提供する。
【０１７２】
本実施形態におけるフローチャート及びブロック図におけるブロックは、オペレーションが実行されるプロセスの段階又はオペレーションを実行する役割を持つ装置の「部」を表わしてよい。特定の段階及び「部」が、専用回路、コンピュータ可読記憶媒体上に格納されるコンピュータ可読命令と共に供給されるプログラマブル回路、及び／又はコンピュータ可読記憶媒体上に格納されるコンピュータ可読命令と共に供給されるプロセッサによって実装されてよい。専用回路は、デジタル及び／又はアナログハードウェア回路を含んでよく、集積回路（ＩＣ）及び／又はディスクリート回路を含んでよい。プログラマブル回路は、例えば、フィールドプログラマブルゲートアレイ（ＦＰＧＡ）、及びプログラマブルロジックアレイ（ＰＬＡ）等のような、論理積、論理和、排他的論理和、否定論理積、否定論理和、及び他の論理演算、フリップフロップ、レジスタ、並びにメモリエレメントを含む、再構成可能なハードウェア回路を含んでよい。
【０１７３】
コンピュータ可読記憶媒体は、適切なデバイスによって実行される命令を格納可能な任意の有形なデバイスを含んでよく、その結果、そこに格納される命令を有するコンピュータ可読記憶媒体は、フローチャート又はブロック図で指定されたオペレーションを実行するための手段を作成すべく実行され得る命令を含む、製品を備えることになる。コンピュータ可読記憶媒体の例としては、電子記憶媒体、磁気記憶媒体、光記憶媒体、電磁記憶媒体、半導体記憶媒体等が含まれてよい。コンピュータ可読記憶媒体のより具体的な例としては、フロッピー（登録商標）ディスク、ディスケット、ハードディスク、ランダムアクセスメモリ（ＲＡＭ）、リードオンリメモリ（ＲＯＭ）、消去可能プログラマブルリードオンリメモリ（ＥＰＲＯＭ又はフラッシュメモリ）、電気的消去可能プログラマブルリードオンリメモリ（ＥＥＰＲＯＭ）、静的ランダムアクセスメモリ（ＳＲＡＭ）、コンパクトディスクリードオンリメモリ（ＣＤ−ＲＯＭ）、デジタル多用途ディスク（ＤＶＤ）、ブルーレイ（登録商標）ディスク、メモリスティック、集積回路カード等が含まれてよい。
【０１７４】
コンピュータ可読命令は、アセンブラ命令、命令セットアーキテクチャ（ＩＳＡ）命令、マシン命令、マシン依存命令、マイクロコード、ファームウェア命令、状態設定データ、又はＳｍａｌｌｔａｌｋ、ＪＡＶＡ（登録商標）、Ｃ＋＋等のようなオブジェクト指向プログラミング言語、及び「Ｃ」プログラミング言語又は同様のプログラミング言語のような従来の手続型プログラミング言語を含む、１又は複数のプログラミング言語の任意の組み合わせで記述されたソースコード又はオブジェクトコードのいずれかを含んでよい。
【０１７５】
コンピュータ可読命令は、汎用コンピュータ、特殊目的のコンピュータ、若しくは他のプログラム可能なデータ処理装置のプロセッサ、又はプログラマブル回路が、フローチャート又はブロック図で指定されたオペレーションを実行するための手段を生成するために当該コンピュータ可読命令を実行すべく、ローカルに又はローカルエリアネットワーク（ＬＡＮ）、インターネット等のようなワイドエリアネットワーク（ＷＡＮ）を介して、汎用コンピュータ、特殊目的のコンピュータ、若しくは他のプログラム可能なデータ処理装置のプロセッサ、又はプログラマブル回路に提供されてよい。プロセッサの例としては、コンピュータプロセッサ、処理ユニット、マイクロプロセッサ、デジタル信号プロセッサ、コントローラ、マイクロコントローラ等を含む。
【０１７６】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。そのような変更又は改良を加えた形態も本発明の技術的範囲に含まれ得ることが、特許請求の範囲の記載から明らかである。
【０１７７】
特許請求の範囲、明細書、及び図面中において示した装置、システム、プログラム、及び方法における動作、手順、ステップ、及び段階などの各処理の実行順序は、特段「より前に」、「先立って」などと明示しておらず、また、前の処理の出力を後の処理で用いるのでない限り、任意の順序で実現しうることに留意すべきである。特許請求の範囲、明細書、及び図面中の動作フローに関して、便宜上「まず、」、「次に、」などを用いて説明したとしても、この順で実施することが必須であることを意味するものではない。
【符号の説明】
【０１７８】
１０  システム、２０  システム、３０  システム、５０  ゲートウェイ、６０  ネットワーク、７０  ユーザ端末、８０  二次元バーコード、１００  空間管理サーバ、１０２  データ格納部、１０４  通知データ取得部、１０６  通知データ受信部、１０８  利用状況管理部、１１０  制御情報送信部、１１２  要求受信部、１１４  利用状況通知部、１２０  管理ボード、１５０  フック型デバイス、１５２  フック型デバイスＡ、１５３  フック型デバイスＡ、１５４  フック型デバイスＢ、１５５  フック型デバイスＢ、１５６  フック型デバイスＣ、１５７  フック型デバイスＣ、１５８  フック型デバイスＤ、１５９  フック型デバイスＤ、１６２  会議室Ａ、１６４  会議室Ｂ、１６６  会議室Ｃ、１６８  会議室Ｄ、１７２  札Ａ、１７４  札Ｂ、１７６  札Ｃ、１７８  札Ｄ、１８２  本体部、１８４  フック、１８６  荷重検知部、１８８  通知データ送信部、２００  空間管理サーバ、２０２  データ格納部、２０４  通知データ取得部、２０６  通知データ受信部、２０８  利用状況管理部、２１０  制御情報送信部、２１２  要求受信部、２１４  利用状況通知部、２１６  閾値決定部、２１８  デバイス送信部、２２０  閾値通知部、２５０  照度型デバイス、２５２  閾値格納部、２５４  照度センサ、２５６  照度判定部、２５８  通知データ送信部、２６０  閾値受信部、２６２  閾値設定部、２６５  会議室、２７０  カード、２７２  スライドプレート、２７４  スライド部材、２７６  第１の面、２７８  第２の面、３００  空間管理サーバ、３０２  データ格納部、３０４  通知データ取得部、３０６  通知データ受信部、３０８  利用状況管理部、３１０  制御情報送信部、３１２  要求受信部、３１４  利用状況通知部、３１６  利用データ受信部、３１８  通知情報送信部、３５２  データ格納部、３５４  通知データ取得部、３５６  通知データ受信部、３５８  利用状況管理部、３６０  制御情報送信部、３６２  要求受信部、３６４  利用状況通知部、３６６  閾値決定部、３６８  デバイス送信部、３７０  閾値通知部、３７２  利用データ受信部、３７４  通知情報送信部、１２００  コンピュータ、１２１０  ホストコントローラ、１２１２  ＣＰＵ、１２１４  ＲＡＭ、１２１６  グラフィックコントローラ、１２１８  ディスプレイデバイス、１２２０  入出力コントローラ、１２２２  通信インタフェース、１２２４  記憶装置、１２２６  ＤＶＤドライブ、１２２７  ＤＶＤ−ＲＯＭ、１２３０  ＲＯＭ、１２４０  入出力チップ
【図１】
0006920381.tif 000002
【図２】
0006920381.tif 000003
【図３】
0006920381.tif 000004
【図４】
0006920381.tif 000005
【図５】
0006920381.tif 000006
【図６】
0006920381.tif 000007
【図７】
0006920381.tif 000008
【図８】
0006920381.tif 000009
【図９】
0006920381.tif 000010
【図１０】
0006920381.tif 000011
【図１１】
0006920381.tif 000012
【図１２】
0006920381.tif 000013
【図１３】
0006920381.tif 000014
【図１４】
0006920381.tif 000015
【図１５】
0006920381.tif 000016
【図１６】
0006920381.tif 000017
【図１７】
0006920381.tif 000018